(57)【特許請求の範囲】
【請求項１】
基板および各々が内部に高周波半導体素子を収納した少なくとも２つの第１、第２のパッケージを有しこれらのパッケージを前記基板の主面と垂直方向に積層し、その下層である前記第１のパッケージを前記基板の主面に実装するよう構成された高周波回路モジュールであって、前記第１のパッケージは、第１の高周波半導体素子を収納するキャビティ内に配置され前記第１の高周波半導体素子の電極端子と接続される第１の内部端子と、前記第１のパッケージ下面に配置され前記基板の主面上に形成された電極パッドと接続される外部端子と、前記第１のパッケージ上面に配置され前記第２のパッケージと接続される第１の接続端子と、前記第１のパッケージ側壁内部に垂直方向に設けられ前記第１の内部端子と前記外部端子及び前記第１の内部端子と前記第１の接続端子を接続する第１の伝送線路を備えており、前記第２のパッケージは、第２の高周波半導体素子を収納するキャビティ内に配置され前記第２の高周波半導体素子の電極端子と接続される第２の内部端子と、前記第２のパッケージ下面に配置され前記第１のパッケージ上面に配置された前記第１の接続端子と接続される第２の接続端子と、前記第２のパッケージ側壁内部に垂直方向に設けられ前記第２の内部端子と前記第２の接続端子を接続する第２の伝送線路を備え、前記第１の伝送線路及び前記第２の伝送線路の一部は、キャスタレーション電極からなることを特徴とする高周波回路モジュール。
【請求項２】
前記第１の伝送線路及び前記第２の伝送線路は、高周波信号入出力用のビアホールを中心とし、その周りを前記キャスタレーション電極が取り囲む同軸または略同軸線路構造であることを特徴とする請求項１記載の高周波回路モジュール。
【発明の詳細な説明】
【０００１】
【発明の属する技術分野】
本発明は、各々が内部に高周波半導体素子を収納した複数のパッケージを備えた高周波回路モジュールの実装構造に関する。
【０００２】
【従来の技術】
近年、インターネットに代表されるＩＴ（Information Technology）分野における高速・大容量の通信手段として、特にマイクロ波、ミリ波を用いた無線通信機器の普及が著しい。製品の事例としては、例えばＡＰＡＡ（Active Phased Array Antenna）と呼ばれる多素子平面アンテナがある。ＡＰＡＡはＧＨｚを超える高周波領域で動作させるアンテナの一種で、使用される半導体素子の材料としては一般に広く使用されているシリコンに代わって、高周波特性に優れている化合物半導体、とりわけガリウム砒素（ＧａＡｓ）半導体による高性能の高周波トランジスタやＭＭＩＣ（Monolithic MicrowaveIntegrated Circuit）が組み込まれている。このような高周波半導体素子は、高信頼性の観点から気密封止された構造のセラミックや金属製のパッケージに収納されて使用される。
【０００３】
高周波回路においては、扱われる周波数が向上すると電気信号の波長が短くなるため、実装構造も微細で複雑なものとなる。このため、限られた空間内に効率よく回路システムを収納する必要があり、部材等のいっそうの小型化が求められている。そこで、従来の大型ケースに回路全体を収納する実装方式から回路を機能ごとに分離して小型のパッケージに収納し、それらを組み合わせてモジュール化することによって機能分担と回路の分離をすすめ、主基板上でそれらを接続して全体的な回路を構成するという方法が着目されている。
【０００４】
例えば特開平９−８２８２６号公報では、図９に示すようなパッケージの実装構造が開示されている。図において、４０は上部フレーム４１と下部フレーム４２より構成されるパッケージ、４３は半導体素子（図示せず）を収納するキャビティ、４４はキャビティ４３内に配置され半導体素子の電極端子と接続される内部端子、４５は下部フレーム４２の外部テラス上面に形成された高周波入出力外部端子、４６は直流供給端子、４７はキャビティ４３を気密封止するシールキャップ、４８は開口部４９が形成された主基板である。
【０００５】
【発明が解決しようとする課題】
図９に示すような従来の実装構造では、接続ロスを低く押さえるため、パッケージ４０と主基板４８とを平面的に実装する手法が用いられている。これは、信号伝送路上に段差や不連続部分が生じると特性インピーダンスの不整合が起こり、これに起因する信号の反射現象が発生し、マイクロ波、ミリ波等の高周波領域にあっては信号伝達特性が低下するため、その対策として主基板４８の一部に開口部４９を設け、その中にパッケージ４０を収容することにより伝送線路の高さを同一平面上に揃えることが行われている。
【０００６】
しかし、主基板４８の一部に開口部４９を設けてその中にモジュールを実装する方法は、回路損失の面からは優れているが、開口部４９を加工することにより主基板４８の製造コストが高くなる上、開口部４９により配線の自由度が制約され、多層配線構造が活用できない、また開口部４９裏面には部品を搭載できないため広い実装面積が必要になり、高密度実装が困難であるという欠点を有する。一般に高周波回路に使用される材料はコストが高いものが多いため、実装面積は小さくする事が望ましい。またＡＰＡＡ等においては使用する周波数帯域によって決定されるアンテナ素子の間隔から要求されるモジュールのピッチ等、機能面から来る実装面積上の制約が生じる場合もあるが、これに対して図９に示す実装構造では実装面積の縮小を実現することは極めて困難である。
【０００７】
さらに、高周波回路モジュールは高価な半導体素子や高価な材料を用いたパッケージが多くコスト高であるため、モジュールに機能不良等が生じた場合は、可能な限り取り外して修理できることが望ましい。このため取り外し容易な構造であることが求められる。同様に多数個のモジュールを同一基板上に実装して構成されるような製品の場合には、個々のモジュールを簡単に取り外し、取り替えまたは修理作業が行える構造を有していないと、１つのモジュールに不良があるために実装基板全体を取り替えなくてはならないといった問題が発生する。しかしながら、図９に示すような特殊な実装構造では、局所的な修理作業は極めて困難である。
【０００８】
本発明は、上記のような問題点を解消するためになされたもので、複数のパッケージ間の高周波電気信号伝送を高精度に実現でき、高密度実装が可能であり、且つモジュールの交換作業が容易に行える高周波回路モジュールを提供することを目的とする。
【０００９】
【課題を解決するための手段】
本発明に係わる高周波回路モジュールは、基板および各々が内部に高周波半導体素子を収納した少なくとも２つの第１、第２のパッケージを有しこれらのパッケージを前記基板の主面と垂直方向に積層し、その下層である第１のパッケージを前記基板の主面に実装するよう構成された高周波回路モジュールであって、第１のパッケージは、第１の高周波半導体素子を収納するキャビティ内に配置され第１の高周波半導体素子の電極端子と接続される第１の内部端子と、第１のパッケージ下面に配置され前記基板の主面上に形成された電極パッドと接続される外部端子と、第１のパッケージ上面に配置され第２のパッケージと接続される第１の接続端子と、第１のパッケージ側壁内部に垂直方向に設けられ第１の内部端子と外部端子及び第１の内部端子と第１の接続端子を接続する第１の伝送線路を備えており、第２のパッケージは、第２の高周波半導体素子を収納するキャビティ内に配置され第２の高周波半導体素子の電極端子と接続される第２の内部端子と、第２のパッケージ下面に配置され第１のパッケージ上面に配置された第１の接続端子と接続される第２の接続端子と、第２のパッケージ側壁内部に垂直方向に設けられ第２の内部端子と第２の接続端子を接続する第２の伝送線路を備え、第１の伝送線路及び第２の伝送線路の一部は、キャスタレーション電極からなるものである。
【００１０】
さらに、第１の伝送線路及び第２の伝送線路は、高周波信号入出力用のビアホールを中心とし、その周りをキャスタレーション電極が取り囲む同軸または略同軸線路構造である。
【００１１】
【発明の実施の形態】
実施の形態１．
以下に、本発明の実施の形態を図面に基づいて説明する。図１は、本発明の実施の形態１である高周波回路モジュールを示す断面図、図２は図１に示す高周波回路モジュールを下面から眺めた斜視図、図３は図１に示す高周波回路モジュールの第１、第２のパッケージの接続部を示す斜視図である。本実施の形態における高周波回路モジュール１は、各々が内部に高周波半導体素子７ａ、７ｂを収納した第１のパッケージ２及び第２のパッケージ３を有し、これら複数のパッケージを主基板４の主面と垂直方向に積層してその下層である第１のパッケージ２を主基板４に実装したものである。
【００１２】
まず、本実施の形態における高周波回路モジュール１の構造について簡単に説明し、その後、具体的な製造方法について述べる。下層である第１のパッケージ２には、高周波半導体素子７ａを収納するためのキャビティ８が形成されている。このキャビティ８内に配置された内部端子９ａと高周波半導体素子７ａの電極端子は金ワイヤ１０にて接続される。また、第１のパッケージ２の下面には、外部端子である複数の電極パッド５ａが形成されており、主基板４の主面上に形成された電極パッド５ｂとはんだボール５にて接続される。なお、これらの電極パッド５ａ、５ｂは、電源用、ＧＮＤ用及び信号入出力用の端子を含み、その中の少なくとも１組は高周波信号入出力用の端子である。本実施の形態では、図２に示すように２組の高周波信号入出力用の電極パッド５１ａ、５２ａが配置され、それらの電極パッド５１ａ、５２ａ上に第１、第２の高周波入出力用はんだボール５１、５２が形成される。
【００１３】
また、第１のパッケージ２上面には、図３にも示すように接続端子である複数の電極パッド６ａが形成され、第２のパッケージ３下面に形成された接続端子である電極パッド６ｂと金バンプ６にて接続される。なお、これらの電極パッド６ａ、６ｂは、電源用、ＧＮＤ用及び信号入出力用の端子を含み、その中の少なくとも１組は高周波信号入出力用の端子である。本実施の形態では、図３に示すように２組の高周波信号入出力用の電極パッド６１ａ、６２ａ（第２のパッケージ３側には図示しない電極パッド６１ｂ、６２ｂ）が配置され、第１のパッケージ２側の電極パッド６１ａ、６２ａ上に第１、第２の高周波入出力用金バンプ６１、６２が形成される。
【００１４】
また、第１のパッケージ２の側壁内部には、伝送線路である高周波信号配線１１及び高周波ＧＮＤ配線１２が垂直方向に設けられ、内部端子９ａと高周波入出力用の外部端子（第１、第２の高周波入出力用はんだボール５１、５２）、及び内部端子９ａと高周波入出力用の接続端子（第１、第２の高周波入出力用金バンプ６１、６２）とをそれぞれ接続している。本実施の形態では、高周波信号配線１１及び高周波ＧＮＤ配線１２は、ビアホール（Via hole）を組み合わせてなるもので、高周波信号配線１１を中心とし、その周りを高周波ＧＮＤ配線１２が取り囲む同軸線路構造をとっている。なお、ビアホールとは、配線基板の層間を接続する目的であけられた穴に金属が充填された柱のようなもので、通常、層間の信号配線の接続または電源、ＧＮＤとの接続に用いられるが、本実施の形態のようにビアホールを多段に重ねることで垂直方向の配線そのものとして用いられる。さらに、高周波信号配線１１及び高周波ＧＮＤ配線１２は、第１、第２の高周波入出力用はんだボール５１、５２を介して主基板４に形成された基板配線１３と接続される。なお、基板配線１３の深さ方向の位置によっては基板スルーホール１４を介して接続される。
【００１５】
一方、上層である第２のパッケージ３も同様に、高周波半導体素子７ｂを収納するためのキャビティ８を有し、このキャビティ８内に配置された内部端子９ｂと高周波半導体素子７ｂの電極端子は金ワイヤ１０にて接続される。また、第２のパッケージ３の側壁内部にもビアホールを組み合わせてなる伝送線路である高周波信号配線１１及び高周波ＧＮＤ配線１２が垂直方向に設けられ、内部端子９ｂと第１、第２の高周波入出力用電極パッド６１ｂ、６２ｂとをそれぞれ接続している。
さらに、第１及び第２のパッケージ２、３の各々のキャビティ８は、シールキャップ１５により封止され、第１及び第２のパッケージ２、３の接続部の空隙は、封止材１６により埋められる。なお、本実施の形態では、第１及び第２のパッケージ２、３の２つのパッケージを積層した例を示したが、３つ以上のパッケージを積層することも可能であり、その場合も最下層のパッケージを基板に接続する。
【００１６】
次に、本実施の形態における高周波回路モジュール１の製造方法について、図４及び図５を用いて具体的に説明する。まず、高周波半導体素子７ａを搭載する第１のパッケージ２を準備する（図４（ａ））。この第１のパッケージ２は多層構造の導体配線２３を有するＬＴＣＣ（低温焼成ガラスセラミックス）基板より形成されており、基板を構成する材料はアルミナとガラスである。導体配線２３用の材料には銅、銀、または銀・パラジウム、銀・白金など導電率の低い金属を用いることができる。これにより、通常のアルミナ基板で用いられている高抵抗の金属材料を用いた導体配線に比べ、導体損を低減した低損失の高周波回路モジュールが実現できる。なお、多層構造の導体配線２３の構成は、例えば最下層からＡｇ／Ｎｉ／Ａｕの順で積層されており、それぞれの厚さは０．１mm／５μｍ／１μｍである。第１のパッケージ２の外形寸法は８×８ｍｍの正方形で、側壁の厚さは１ｍｍ、キャビティ８の深さはおよそ１ｍｍである。なお、本実施の形態ではＬＴＣＣ製のパッケージを用いた例を述べたが、パッケージの構成材料はこれに限定されるものではなく、有機樹脂を用いたパッケージでも良い。
【００１７】
また、第１のパッケージ２の側壁内部には、高周波信号の伝送線路である高周波信号配線１１及び高周波ＧＮＤ配線１２が形成されている。これらはビアホールまたはキャスタレーション電極を組み合わせて成る同軸または略同軸線路構造をとっており、図６（ａ）〜（ｇ）のいずれかの配置を用いることが可能であるが、本実施の形態では、図６（ｄ）〜（ｇ）に示すように、伝送線路の一部がキャスタレーション電極１７からなることを特徴としている（図６（ｄ）、（ｅ）はストリップ線路構造）。なお、図中、１８はパッケージ壁を示している。いずれの構造にしても伝送線路構造をとっていることが必要であり、伝送線路構造をとらない単なる配線では高周波信号が劣化するため実用に耐えない。同軸線路構造の中心に配置される高周波信号配線１１は高周波信号入出力用のビアホールを組み合わせてなり、この高周波信号配線１１を取り囲む複数個の高周波ＧＮＤ電極としては、ビアホールを組み合わせてなる高周波ＧＮＤ配線１２を用いる場合と、キャスタレーション電極１７を用いる場合が考えられる。ビアホールの形成方法としては、セラミック基板を焼成する前のグリーンシート(生のセラミックシート)の所望の位置にパンチングやレーザーで開口した後、開口部に金属ペーストを充填し、位置合わせして積層したグリーンシートを加圧プレスした後に焼成する方法が一般的である。また、キャスタレーション電極１７とは、セラミック基板の側壁（パッケージ壁１８）に設けられた縦溝状の電極であり、その形成方法は、グリーンシートに円形〜小判型の開口部を形成し、この開口部に金属ペーストを充填した後に真空引きなどによって不要のペーストを排除し、壁面のみをメタライズした後にダイシングソーなどで分離して作成する。または分離後にめっき等でメタライズしても良い。ビアホールを用いた場合は中に金属が詰まっているため、側面でのはんだ接合はできないが、キャスタレーション電極１７を用いた場合は、パッケージ側面と主基板との間ではんだ接合が可能である。
【００１８】
第１のパッケージ２のキャビティ８内には、高周波半導体素子７ａと接続される電極パッドである内部端子９ａ（図２参照）が形成されている。また、第１のパッケージ２のキャビティ８形成面（主基板４に実装した際には下面となる）には、主基板４との接続部として使用されるはんだボール用の電極パッド５ａ、５１ａ、５２ａが形成されている。電極パッド５１ａ、５２ａは、第１、第２の高周波入出力用はんだボール５１、５２を取り付けるためのもので、高周波回路モジュール１内の高周波信号配線１１または高周波ＧＮＤ配線１２と接続される。その他の複数の電極パッド５ａは、電源やＧＮＤ、場合によっては制御用の端子として用いられるもので、はんだボール５が取り付けられる。さらに、第１のパッケージ２の裏面（主基板４に実装した際には上面となる）には、第２のパッケージ３との接続部として使用される金バンプ用の電極パッド６ａ、６１ａ、６２ａが形成されている。電極パッド６１ａ、６２ａは、第１、第２の高周波入出力用金バンプ６１、６２を取り付けるためのもので、高周波回路モジュール１内の高周波信号配線１１または高周波ＧＮＤ配線１２と接続される。その他の複数の電極パッド６ａは、電源やＧＮＤ、場合によっては制御用の端子として用いられるもので、金バンプ６が取り付けられる。
【００１９】
次に、図４（ｂ）に示すように、第１のパッケージ２に高周波半導体素子７ａを搭載する。高周波半導体素子７ａは、およそ２０ＧＨｚまで使用可能な周波数帯域を有するＧａＡｓ製のＭＭＩＣ等であり、例えばＬＮＡ（Low Noise Amplifier）である。その外形寸法は２.５×３.６ｍｍの長方形で、厚さは０.１ｍｍである。回路面には外部回路との接続を取るための電極端子である約１μｍの厚さの金製パッド電極が複数個設けられている（図示せず）。高周波半導体素子７ａを第１のパッケージ２に実装する手順としては、まず、キャビティ８内に高周波半導体素子７ａを導電性樹脂でダイボンドし、その後、通称ボールボンダと呼ばれる超音波ワイヤーボンデイング装置を用い、金ワイヤ１０により高周波半導体素子７ａの電極端子と内部端子９の接続を行う。続いて、高周波半導体素子７ａを搭載した第１のパッケージ２をシールキャップ１５にて気密封止する。使用したシールキャップ１５はコバール（Kovar：Ni29、Co17、Fe54重量％）である。シールキャップ１５の外形寸法は６×６ｍｍの正方形で、厚さは０.２ｍｍである。なお、ここでは図示していないが、第２のパッケージ３に高周波半導体素子７ｂを搭載する際も同様の手順で行う。また、本実施の形態では、キャビティ８内への高周波半導体素子７ａ、７ｂの実装方法として、金ワイヤ１０によるワイヤボンディング接続を例として示したが、高周波実装の手段としてよく用いられるフリップチップ実装を採用しても良い。
【００２０】
次に、図４（ｃ）に示すように、第１のパッケージ２を裏返して高周波半導体素子７ａ搭載面を下側にする。この状態で、第１のパッケージ２の上面に配置された電極パッド６ａ、６１ａ、６２ａ上にそれぞれ金バンプ６、第１の高周波入出力用金バンプ６１及び第２の高周波入出力用金バンプ６２を形成する。これらの金バンプ６、６１、６２は、第１のパッケージ２を設定温度１５０℃にてステージ上に保持し、前述の超音波ワイヤーボンデイング装置を用いて形成する。これにより直径７０μｍ、平均高さ６５μｍの金製の突起状バンプが形成される。なお、この突起状バンプは、超音波ワイヤーボンデイング装置でボール状の接合が完了した金ワイヤを垂直方向に引きちぎることで形成される。
【００２１】
続いて、図５（ａ）に示すように、金−金固相拡散接合工法により第１のパッケージ２と第２のパッケージ３を接続する。固相拡散接合（固相接合ともいう）とは、同種または異種の固体の金属材料に熱、圧力または超音波エネルギー等を与え、溶融することなく固相のまま接合するもので、接合部付近では原子の移動（拡散）が生じ、接合材料の原子が混ざり合って接合されるものである。第１のパッケージ２と第２のパッケージ３との接合に際し、第２のパッケージ３の表面（第１のパッケージ２と接続した際には下面となる）には、第１のパッケージ２との接続部として使用される金バンプ用の電極パッド６ｂ、６１ｂ、６２ｂが予め形成されている。本実施の形態では、第２のパッケージ３の電極パッド６ｂ、６１ｂ、６２ｂと第１のパッケージ２の金バンプ６、６１、６２の位置合わせを正確に行うために、画像処理による位置あわせ機能を備えた超音波ボンダ２１を用いる。まず、第１のパッケージ２を加熱固定治具２０に固定する。超音波ボンダ２１に付属する超音波ヘッド１９は図示しない真空吸着孔を有し、第２のパッケージ３はこの超音波ヘッド１９により吸着され加圧超音波接合される。なお、バンプ１個あたりの最大印加荷重は１１０ｇとした。加圧時の温度は第２のパッケージ３を室温、第１のパッケージ２の加熱設定温度を１５０℃とし、加圧時間は１〜２秒とした。このように超音波を印加することで、短時間で確実な接合が得られる。
【００２２】
なお、本実施の形態では、第１のパッケージ２と第２のパッケージ３は金−金固相拡散接合により強固に接合されるので、強度的には樹脂等による補強は必要としない。しかし防湿や防塵等の観点から、必要に応じて図２に示すように封止材１６を用いた樹脂封止を行うことが望ましい。封止材１６としては通常のエポキシ系絶縁性接着剤またはシリコーン系絶縁性接着剤を用いる。第１のパッケージ２及び第２のパッケージ３間に配置された金バンプ６、６１、６２の相互間に樹脂が満たされることにより、良好な特性を確保することができる。なお、本実施の形態では、第１のパッケージ２と第２のパッケージ３の接続に金バンプを用いたが、金バンプの他にはんだ等の柔らかい金属材料のバンプを適用することができる。
【００２３】
次に、図５（ｂ）に示すように、第１のパッケージ２の主基板４への実装面に形成されている電極パッド５ａ、５１ａ及び５２ａに、はんだボール５、第１及び第２の高周波入出力用はんだボール５１、５２を取り付ける。これには市販のボールセット法によるはんだボール実装装置を用いた。なお、はんだボール５、５１、５２のレイアウトの詳細は図２に示している。
【００２４】
最後に、図５（ｃ）に示すように、高周波回路モジュール１を主基板４上に実装する。主基板４には、はんだボール５、５１、５２のレイアウトに対応した電源やＧＮＤ用の電極パッド５ｂ及び高周波入出力用の電極パッド５１ｂ、５２ｂが形成されている。主基板４はＢＴ樹脂製で、導体配線は最小ラインアンドスペース６０μｍ／６０μｍの精度で形成されている。なお、コスト面で問題がなければ主基板４にセラミック基板を適用することもできる。導体配線はＣｕで多層構造をしており、その構成は最下層からＣｕ／Ｎｉ／Ａｕの順で積層されている。導体の厚さはそれぞれ１８μｍ／３μｍ／０．０５μｍである。また、主基板４の上面には、高周波回路モジュール１を精度良くはんだ実装するためのはんだレジストが形成されている。高周波回路モジュール１は、はんだボールを溶融させて主基板４上に実装される。まず、画像処理による位置合わせ機能を備えた搭載機を用いて高周波回路モジュール１を主基板４上の所定の位置に位置合わせする。主基板４上には予めスクリーン印刷法により、鉛−スズ系の共晶はんだペーストが供給されている。はんだ接合にはリフロー炉を用い、はんだの溶融温度である１８３℃を超えるようにリフロー炉の設定温度を２４０℃とし、加熱時間は３０秒とする。はんだ接合終了後の冷却は自然冷却により行い、はんだ接合時のフラックスは、接合終了後、必要に応じて洗浄する。なお、高周波回路モジュール１と主基板４を接続するはんだボール５、５１、５２に対しても、前述の金バンプと同様に樹脂で封止することが考えられる。以上の工程により、本実施の形態における高周波回路モジュール１が完成する。
【００２５】
次に、本実施の形態における高周波回路モジュール１をＡＰＡＡ（Active Phased Array Antenna）の素子モジュールに適用した事例を図７に示す。ＡＰＡＡとは、図７に示すような素子モジュールを複数用意しこれらをアレイ状に配置したもので、航空管制、大気観測または軍事用等の各種レーダや送受信用のアンテナとして用いられる。アンテナ体３０はセラミックフレーム３１の内部に形成された励振電極３２とこれに対向して設けられた非励振電極３３より構成され、各々のアンテナ体３０には半導体増幅器や移相器等のアクティブ素子を有する高周波回路モジュール１が取り付けられる。これにより、各々のアンテナ体３０から放射または各々のアンテナ体３０で受信される電波の振幅及び位相を制御して、アンテナ全体としての合成ビームを任意の方向に向け、アンテナから放射またはアンテナで受信することができる。送信アンテナの場合は、上層の第２のパッケージ３には高周波半導体素子７ｂとしてＨＰＡ（High Power Amplifier：高出力増幅器）、下層の第１のパッケージ２には高周波半導体素子７ａとしてＰＳ（Phase Shifter：移相器）が搭載される。また、受信アンテナの場合は、上層の第２のパッケージ３には高周波半導体素子７ｂとしてＬＮＡ（Low Noize Amplifier：低雑音増幅器）、下層の第１のパッケージ２には高周波半導体素子７ａとしてＰＳ（Phase Shifter：移相器）が搭載される。これらの高周波半導体素子７ａ、７ｂはいずれもＧａＡｓ製のＭＭＩＣで構成される。なお、アンテナ体３０と高周波回路モジュール１の接続も金バンプ６により行う。
【００２６】
本実施の形態における高周波回路モジュール１を主基板４に実装後、高周波電気特性の評価を行った結果、期待した特性を示すことが確認でき、高周波回路モジュール１として十分使用可能であることが判った。また、モジュールの長期信頼性試験として熱サイクル試験を実施した。これは、主基板４に実装後の高周波回路モジュール１を繰り返し熱サイクル環境下に放置し、試験後に接合部の損傷の有無を電気的導通と断面研磨観察によって確認した。高周波回路モジュール１を１１個作製し、−４０℃〜＋１２５℃の熱サイクル試験を１０００サイクル実施後、まず電気的導通に異常が無いことを確認した。次に各試料の４辺の封着部（樹脂ダム２２（図７参照））を断面研磨観察したところ、封着部には何ら異常は検出されず、高い接合性が保たれていることが判った。以上のことから、本実施の形態における高周波回路モジュール１は、高周波特性と信頼性に優れたものであることが判った。
【００２７】
さらに、本実施の形態によれば、各々が内部に高周波半導体素子７ａ、７ｂを収納した複数のパッケージを垂直方向に積層し、その最下層である第１のパッケージ２を接合材として広く用いられている鉛−スズ系の共晶はんだを用いて主基板４上に表面実装しているため、実装後の修復作業が容易である。例えば、高周波回路モジュール１内の高周波半導体素子７ａ、７ｂの電気性能が期待値を満たさない等の理由から、高周波回路モジュール１を取り替える必要性が生じた場合、主基板４と高周波回路モジュール１のはんだ接続部を、はんだこてやヒートツールまたはホットエアー等により、局部加熱を行うことによって容易に取り外すことができる。すなわち、既に実装が完了している他の高周波回路モジュールとは独立して不良モジュールのみを取り外し、良品の高周波回路モジュール１を新たに搭載することで修理を行うことができる。このように、本実施の形態によれば、高周波回路モジュール１の修復作業が簡単に行えることから、製造歩留が向上し、製品の低コスト化が可能となる。
【００２８】
参考例１．
本発明の参考例１について説明する。本参考例は、第１のパッケージ２と第２のパッケージ３の接続部分の金バンプ６（６１、６２）の構成において前記実施の形態１と異なるものであり、その他の基本構成及び各構成部材の材質は前記実施の形態１と同様であるため説明を省略する。図８（ａ）は前記実施の形態１における第１のパッケージ２と第２のパッケージ３の接続部分、図８（ｂ）は本参考例における第１のパッケージ２と第２のパッケージ３の接続部分を示す断面図である。本参考例では、第１のパッケージ２と第２のパッケージ３の接続部分に多段の金バンプ６３を採用している。
【００２９】
高周波回路モジュール１を構成する第１及び第２のパッケージ２、３においては、材料がセラミックであるために、製造条件や製造ロットによっては反り、ねじれ、うねり等の変形が存在することがある。これを考慮せずに第１のパッケージ２と第２のパッケージ３を接続すると、条件によっては第１のパッケージ２の金バンプ用電極パッド６ａと第２のパッケージ３の金バンプ用電極パッド６ｂ間に空隙が生じてしまい、パッド間で電気的導通が得られない状態（オープン状態）が生じる場合がある。オープン状態が生じると、第１のパッケージ２と第２のパッケージ３の間の電気的導通が得られないため、高周波回路モジュール１として期待される高周波電気特性が得られない。
【００３０】
このような事態を避けるため、本参考例では、第１のパッケージ２上面の電極パッド６ａ（６１ａ、６２ａ）上に多段の金バンプ６３を形成し、第１のパッケージ２と第２のパッケージ３の間に生じる空隙を吸収することで、反り、うねり等の変形がある場合でも良好な接続が得られるようにした。図８（ｂ）では、第２のパッケージ３が反り、ねじれ、うねり等によって第１のパッケージ２と平行ではない形で接続された状態を説明している。この図では、第１のパッケージ２上面の電極パッド６ａ上に２段の金バンプ６３を形成し、この金バンプ６３を介して第２のパッケージ３と接合することにより、第１のパッケージ２と第２のパッケージ３の距離が短い部位の金バンプ６３はつぶれが大きく、距離が長い部位の金バンプ６３はつぶれが小さい状態で全ての領域に渡って良好な電気的導通が維持される。なお、本参考例では金バンプを用いたが、柔らかい金属材料よりなるバンプ、例えばはんだ等を多段に形成することも可能である。
【００３１】
本参考例における高周波回路モジュール１を封着後、電気的導通試験と断面研磨を実施した。なお、金バンプ６３の接合前の一段あたりのバンプの直径は８０μｍ、高さは４０μｍとした。また、第２のパッケージ３のうねりは、一辺１０ｍｍに対して最大５０μｍであった。このような構成材料を用いて前記実施の形態１と同じ条件で試料を作製した。ただし金バンプ６３を変形させるため加圧力は大きく設定し、３ｋｇとした。その結果、本参考例においても正常な接合が行われていることが判った。また、本参考例においても前記実施の形態１と同様な信頼性試験を実施した結果、何ら異常は検出されず、高い接合性が保たれていることが判った。
【００３２】
なお、実施の形態１および参考例１は何れも２つのパッケージ２、３を垂直方向に積層したものであるが、３つ以上の複数のパッケージを垂直方向に積層するようにすることも可能である。
【００３３】
【発明の効果】
以上のように、本発明によれば、各々が内部に高周波半導体素子を収納した少なくとも２つの第１、第２のパッケージを有しこれらのパッケージを基板の主面と垂直方向に積層し、その下層である第１のパッケージを基板に実装するように構成した高周波モジュールにおいて、第１の伝送線路及び第２の伝送線路の一部がキャスタレーション電極からなるので、パッケージ側面の伝送線路を基板面に直接はんだ接合することができる。これにより、高密度実装が可能であり、且つモジュールの交換作業が容易に行える高周波回路モジュールが得られ、その結果、製造歩留の向上及び製品の低コスト化が図られる。
【００３４】
また、第１の伝送線路及び第２の伝送線路を、高周波信号入出力用のビアホールを中心とし、その周りをキャスタレーション電極が取り囲む同軸または略同軸線路構造とすることにより、複数のパッケージ間の高周波電気信号伝送を高精度に実現することが可能である。
【図面の簡単な説明】
【図１】  本発明の実施の形態１である高周波回路モジュールを示す断面図である。
【図２】  本発明の実施の形態１である高周波回路モジュールを下面から眺めた斜視図である。
【図３】 本発明の実施の形態１である高周波回路モジュールの第１、第２のパッケージの接続部を示す斜視図である。
【図４】 本発明の実施の形態１である高周波回路モジュールの製造方法を示す断面図である。
【図５】 本発明の実施の形態１である高周波回路モジュールの製造方法を示す断面図である。
【図６】 本発明の実施の形態１である高周波回路モジュールのパッケージ側壁内部に設けられた伝送線路の配置例を示す断面図である。
【図７】 本発明の実施の形態１である高周波回路モジュールをＡＰＡＡの素子モジュールに適用した事例を示す断面図である。
【図８】 本発明の実施の形態１及び参考例１である高周波回路モジュールの第１、第２のパッケージの接続部を示す断面図である。
【図９】 従来の高周波回路モジュールの実装構造を説明する図である。
【符号の説明】
１  高周波回路モジュール、２  第１のパッケージ、３  第２のパッケージ、４  主基板、５  はんだボール、５ａ、５ｂ  電極パッド、６  金バンプ、
６ａ、６ｂ、電極パッド、７ａ、７ｂ  高周波半導体素子、８  キャビティ、
９ａ、９ｂ  内部端子、１０  金ワイヤ、１１  高周波信号配線、１２  高周波ＧＮＤ配線、１３  基板配線、１４  基板スルーホール、１５  シールキャップ、
１６  封止材、１７  キャスタレーション電極、１８  パッケージ壁、１９  超音波ヘッド、２０  加熱固定治具、２１  超音波ボンダ、２２  樹脂ダム、
２３  導体配線、３０  アンテナ体、３１  セラミックフレーム、３２  励振電極、３３  非励振電極、４０  パッケージ、４１  上部フレーム、４２  下部フレーム、４３  キャビティ、４４  内部端子、４５  高周波入出力外部端子、
４６  直流供給端子、４７  シールキャップ、４８  主基板、４９  開口部、
５１  第１の高周波入出力用はんだボール、５１ａ、５１ｂ  電極パッド、
５２  第２の高周波入出力用はんだボール、５２ａ、５２ｂ  電極パッド、
６１  第１の高周波入出力用金バンプ、６１ａ、６１ｂ  電極パッド、
６２  第１の高周波入出力用金バンプ、６２ａ、６２ｂ  電極パッド、６３  多段の金バンプ。
【図１】
0003914059.tif 000002
【図２】
0003914059.tif 000003
【図３】
0003914059.tif 000004
【図４】
0003914059.tif 000005
【図５】
0003914059.tif 000006
【図６】
0003914059.tif 000007
【図７】
0003914059.tif 000008
【図８】
0003914059.tif 000009
【図９】
0003914059.tif 000010